(57)【要約】本発明による顕微鏡システム（１０）は、試料（１６）を、顕微鏡システム（１０）の第１の動作状態において、光シート状の照明配光を用いて照明し結像する光シート顕微鏡機能ユニット（１２）と、試料（１６）を、顕微鏡システム（１０）の第２の動作状態において、スポット状の照明配光を用いて照明し結像する走査顕微鏡機能ユニット（１４）と、試料（１６）を、第１の動作状態において、光シート状の照明配光を用いて一軸走査し、試料（１６）を、第２の動作状態において、スポット状の照明配光を用いて一軸走査する第１の走査素子（６６）と、試料（１６）を、第２の動作状態において、走査顕微鏡機能ユニット（１４）によって生成されたスポット状の照明配光を用いてさらなる軸において一軸走査し、それによって第２の動作状態において、第１の走査素子と共に、試料（１６）の二軸走査を、走査顕微鏡機能ユニット（１４）によって生成されたスポット状の照明配光を用いて生じさせる第２の走査素子と、第１の動作状態と第２の動作状態とを切り替える制御ユニットと、を備える。
2019533187.tif 000002
【特許請求の範囲】
【請求項１】
顕微鏡システム（１０）であって、
−試料（１６）を、前記顕微鏡システム（１０）の第１の動作状態において、光シート状の照明配光を用いて照明し結像する光シート顕微鏡機能ユニット（１２）と、
−前記試料（１６）を、前記顕微鏡システム（１０）の第２の動作状態において、スポット状の照明配光を用いて照明し結像する走査顕微鏡機能ユニット（１４）と、
−前記試料（１６）を、前記第１の動作状態において、前記光シート顕微鏡機能ユニット（１２）によって生成された光シート状の照明配光を用いて一軸走査し、前記試料（１６）を、前記第２の動作状態において、前記走査顕微鏡機能ユニット（１４）によって生成されたスポット状の照明配光を用いて一軸走査する第１の走査素子（６６）と、
−前記試料（１６）を、前記第２の動作状態において、前記走査顕微鏡機能ユニット（１４）によって生成されたスポット状の照明配光を用いて一軸走査し、それによって前記第２の動作状態において、前記第１の走査素子（６６）と共に、前記試料（１６）の二軸走査を、前記走査顕微鏡機能ユニット（１４）によって生成されたスポット状の照明配光を用いて生じさせる第２の走査素子と、
−前記第１の動作状態と前記第２の動作状態とを切り替える制御ユニット（８７）と、
を備えた顕微鏡システム（１０）。
【請求項２】
前記第１の走査素子（６６）および前記第２の走査素子（７４）は、前記第２の動作状態においてテレセントリック走査システムを形成する、
請求項１記載の顕微鏡システム（１０）。
【請求項３】
前記光シート顕微鏡機能ユニット（１２）および前記走査顕微鏡機能ユニット（１４）は、それぞれ照明用にも検出用にも用いられる、前記試料（１６）に面する共通の対物レンズ（５０）を有する、
請求項１または２記載の顕微鏡システム（１０）。
【請求項４】
前記光シート顕微鏡機能ユニット（１２）および前記走査顕微鏡機能ユニット（１４）は、前記共通の対物レンズ（５０）の射出瞳（７０）を前記第１の走査素子（６６）上に結像する共通の望遠鏡光学系（５６）を有する、
請求項３記載の顕微鏡システム（１０）。
【請求項５】
前記顕微鏡システム（１０）は、前記共通の対物レンズを支持する顕微鏡スタンド（５５）を有し、前記顕微鏡スタンド（５５）は、前記共通の望遠鏡光学系（５６）を接続することができる接続要素（５３）を有する、
請求項４記載の顕微鏡システム（１０）。
【請求項６】
前記第１の走査素子（６６）は、第１の傾斜軸（６８）周りで傾斜可能であり、前記第２の走査素子（７４）は、第２の傾斜軸（７６）周りで傾斜可能である、
請求項１から５までのいずれか１項記載の顕微鏡システム（１０）。
【請求項７】
前記第１の走査素子（６６）は、前記第１の動作状態では、第１の傾斜角度範囲内で傾斜可能であり、前記第２の動作状態では、前記第１の傾斜角度範囲とは異なる第２の傾斜角度範囲内で傾斜可能である、
請求項６記載の顕微鏡システム（１０）。
【請求項８】
前記顕微鏡システム（１０）は、前記制御ユニットによって駆動制御可能な切り替え素子（６６，７８）を含み、前記切り替え素子（６６，７８）は、前記第１の動作状態と前記第２の動作状態との間で切り替える、
請求項１から７までのいずれか１項記載の顕微鏡システム（１０）。
【請求項９】
前記切り替え素子は、第１の偏向素子（６６）によって形成されており、前記第１の偏向素子（６６）は、前記第１の動作状態と前記第２の動作状態との間の切り替えのために、前記第１の傾斜角度範囲内にあって前記第１の動作状態を実現する傾斜位置と、前記第２の傾斜角度範囲内にあって前記第２の動作状態を実現する傾斜位置と、の間で傾斜可能である、
請求項７または８記載の顕微鏡システム（１０）。
【請求項１０】
前記切り替え素子として、前記第１の偏向素子（６６）とは別個でかつビームパス内に挿入可能な光偏向素子（７８）が配置されており、ここで、前記光偏向素子（７８）がビームパスから遠ざけられると、前記顕微鏡システム（１０）は、前記第１の動作状態にあり、ここで、前記光偏向素子（７８）がビームパス内に挿入されると、前記走査顕微鏡機能ユニット（１４）は、能動的に切り替わり、それによって前記第２の動作状態が設定される、
請求項８記載の顕微鏡システム（１０）。
【請求項１１】
前記走査顕微鏡機能ユニット（１４）は、前記光シート顕微鏡機能ユニット（１２）から空間的に分離された励起／検出モジュール（７２）を有し、前記励起／検出モジュール（７２）は、前記第２の動作状態において能動的に切り替えられている、
請求項１から１０までのいずれか１項記載の顕微鏡システム（１０）。
【請求項１２】
前記光シート顕微鏡機能ユニット（１２）は、
光シート状の照明配光を中間像空間（２４）内で生成するように構成された照明光学系（１８）と、
両面テレセントリックに構成された搬送光学系（２０）であって、前記中間像空間（２４）内で生成された光シート状の照明配光を前記試料（１６）内に、および、光シート状の照明配光を用いて照明される前記試料（１６）の領域内に、中間像として前記中間像空間（２４）内に結像するように構成された搬送光学系（２０）と、
前記中間像空間（２４）内で生成された前記中間像を検出器（３４）上に結像するように構成された検出光学系（２２）と、
を備えており、
前記照明光学系（１８）、前記搬送光学系（２０）および前記検出光学系（２２）の光軸（Ｏ１，Ｏ２，Ｏ３）は、前記中間像空間（２４）内で相互に交差し、
前記第１の走査素子（６６）は、前記搬送光学系（２０）内に配置され、前記第１の動作状態において、前記光シート状の照明配光が前記試料（１６）内で前記搬送光学系（２０）の前記光軸（Ｏ２）に対して交差方向に移動するように構成されている、
請求項１から１１までのいずれか１項記載の顕微鏡システム（１０）。
【請求項１３】
前記搬送光学系（２０）は、ビームスプリッタフリーである、
請求項１２記載の顕微鏡システム（１０）。
【請求項１４】
前記走査顕微鏡機能ユニット（１４）は、共焦点顕微鏡または多光子顕微鏡を形成する、
請求項１から１３までのいずれか１項記載の顕微鏡システム（１０）。
【請求項１５】
顕微鏡システム（１０）を用いて試料（１６）を結像する方法であって、前記方法は、
−試料（１６）が、光シート顕微鏡機能ユニット（１２）により、光シート状の照明配光を用いて照明され結像される、前記顕微鏡システム（１０）の第１の動作状態を設定するステップと、
−前記試料（１６）が、走査顕微鏡機能ユニット（１４）により、スポット状の照明配光を用いて照明され結像される、前記顕微鏡システム（１０）の第２の動作状態を設定するステップと、
を含み、
−前記試料（１６）は、前記第１の動作状態において、前記光シート顕微鏡機能ユニット（１２）によって生成された光シート状の照明配光を用いて第１の走査素子（６６）により一軸走査され、
−前記試料（１６）は、前記第２の動作状態において、前記走査顕微鏡機能ユニット（１４）によって生成されたスポット状の照明配光を用いて前記第１の走査素子（６６）によっても一軸走査され、さらなる第２の走査素子（７４）によってもさらなる軸において一軸走査され、これによって前記第１および第２の走査素子（６６，７４）を用いて前記試料（１６）の二軸走査が生じる、
方法。
【発明の詳細な説明】
【技術分野】
【０００１】
本発明は、試料を、顕微鏡システムの第１の動作状態において、光シート状の照明配光を用いて結像するように構成された光シート顕微鏡機能ユニットと、試料を、顕微鏡システムの第２の動作状態において、スポット状の照明配光を用いて結像するように構成された走査顕微鏡機能ユニットと、を備えた顕微鏡システムに関する。
【背景技術】
【０００２】
従来技術からは、試料中の薄膜のみを照明するために、光シート状の照明配光を生成する、いわゆる光ディスク顕微鏡または光シート顕微鏡が公知である。現在は、試料側に、照明用と検出用の２つの別個の対物レンズを有する光シート顕微鏡の他に、試料に面する唯一の対物レンズでまかなわれた光シート顕微鏡も使用されている。例えば、米国特許第８，５８２，２０３号明細書（ＵＳ８，５８２，２０３Ｂ２）では、対物レンズの前に配置された円柱レンズを使用することで、対物レンズの光軸に対して傾斜配置された光シートが生じるように照明光が試料に集束される顕微鏡が提案されている。この傾斜配置のために、そのような顕微鏡は、斜面顕微鏡（ＯＰＭ；「oblique plane microscope」）とも称される。
【０００３】
米国特許第８，６１９，２３７号明細書（ＵＳ８，６１９，２３７Ｂ２）からは、２つの偏向素子を用いて、試料ボリュームの、光伝搬方向に対して横方向に、すなわち交差方向に配向される走査が可能である斜面顕微鏡の変形例が公知である。そのような顕微鏡は、ＳＣＡＰＥ顕微鏡（ＳＣＡＰＥ：「swept confocally-aligned planar excitation」）とも称される。
【０００４】
つまり光シート顕微鏡は、試料を、光シート状の照明配光を用いて結像するのに対して、従来の走査顕微鏡、例えば共焦点顕微鏡または多光子顕微鏡における試料の結像はスポット状に行われる。したがって、そのような走査顕微鏡では、試料を、２つの直交する走査軸に沿って照明配光を用いて走査するために、走査素子を用いて試料上を移動するスポット状の照明配光が生成される。多くの走査顕微鏡システムに関する概要は、例えば公知文献「J. Pawley, Handbook of Biological Confocal Microscopy, ISBN 978-0-387-45524-2」から明らかになるであろう。
【０００５】
従来技術についてはさらに、コノスコープ結像とオルソスコープ結像との間の切り替えのためのガルバノメーターミラー装置を備えた顕微鏡を開示している米国特許第７，５７３，６３５号明細書（ＵＳ７，５７３，６３５Ｂ２）が参照される。
【０００６】
試料を、それぞれの照明配光を用いて走査するために、それぞれ１つ以上の走査素子を備えた斜面顕微鏡も走査顕微鏡も、試料側の対物レンズの射出瞳を実像の形態でそれぞれの走査素子上に結像する望遠鏡システムを必要とする。そのような望遠鏡システムは、好適な結像品質を保証するために、オルソスコープ結像についてもコノスコープ結像についても収差が極めて少なければならない。これにより、比較的高価なものになる。
【０００７】
さらに、これらの望遠鏡システムは、対物レンズ瞳へのアクセスを必要とする。この目的のために、従来の顕微鏡は、例えばフランジなどの接続部の形態の対応するインターフェースを有する。そのようなインターフェースの維持は、機械的にも光学的にも複雑となり、顕微鏡の所要スペースも増加させる。
【０００８】
前述した２つの顕微鏡用途、詳細には斜面顕微鏡およびスポット状に動作する走査顕微鏡は、試料分析において応用上相補的な結像アプローチを表すので、２つの結像手法を組み合わせることができる顕微鏡システムを提供することが望まれる。
【発明の概要】
【発明が解決しようとする課題】
【０００９】
本発明の課題は、比較的少ない技術的コストで、光シート顕微鏡にも走査顕微鏡にも適用可能な顕微鏡システムおよび試料を光学顕微鏡で結像する方法を提示することにある。
【課題を解決するための手段】
【００１０】
本発明は、この課題を、独立請求項の主題によって解決する。好ましい発展形態は、従属請求項に示されている。
【００１１】
本発明による顕微鏡システムは、以下を備える。すなわち、
試料を、顕微鏡システムの第１の動作状態において、光シート状の照明配光を用いて結像するように構成された光シート顕微鏡機能ユニットと、
試料を、顕微鏡システムの第２の動作状態において、スポット状の照明配光を用いて結像するように構成された走査顕微鏡機能ユニットと、
試料を、第１の動作状態において、光シート顕微鏡機能ユニットによって生成された光シート状の照明配光を用いて一軸走査し、試料を、第２の動作状態において、走査顕微鏡機能ユニットによって生成されたスポット状の照明配光を用いて一軸走査するように構成された第１の走査素子と、
試料を、第２の動作状態において、走査顕微鏡機能ユニットによって生成されたスポット状の照明配光を用いて一軸走査し、それによって第２の動作状態において、第１の走査素子と共に、試料の二軸走査を、走査顕微鏡機能ユニットによって生成されたスポット状の照明配光を用いて生じさせるように構成された第２の走査素子と、
第１の動作状態と第２の動作状態とを切り替えるように構成された制御ユニットと、
を備える。
【００１２】
本発明は、例えばＯＰＭまたはＳＣＡＰＥ顕微鏡などの斜面顕微鏡も、冒頭に述べた種類の走査顕微鏡も、一軸走査素子を有するという状況、すなわち唯一の走査軸に沿った光走査を生じさせる素子を有するという状況を利用する。斜面顕微鏡では、走査素子と称される当該素子は、ボリュームイメージングのために光シート状の照明配光を照明光の伝搬方向に対して交差方向に移動させるために用いられる。それに対して、走査顕微鏡では、スポット状の配光の通常は直交する２つの走査移動のうちの１つが生じる。したがって、本願による第１の走査素子と称されるこの素子は、走査すべき試料の照明のために、光シート顕微鏡機能ユニットにおいても走査顕微鏡機能ユニットにおいても使用することができる。光シート顕微鏡結像が行われる顕微鏡システムの第１の動作状態では、試料を、照明光を用いて走査するために第１の走査素子のみで十分である。それに対して、本発明では、スポット状の照明配光を用いた走査顕微鏡結像に用いられる顕微鏡システムの第２の動作状態では、第１の走査素子に対して付加的に、同様に一軸走査を生じさせる第２の走査素子を使用することが想定される。この場合、２つの走査軸は、第２の動作状態において好ましくは相互に直交する。つまり、それ自体は一軸的に作用すると見なされる２つの走査素子は、それらの相互作用において二軸走査システムを形成する。
【００１３】
本発明による２つの動作状態において使用される第１の走査素子を介して、顕微鏡システムは、光シート顕微鏡とスポット状に走査する顕微鏡との２つの応用上相補的な結像方法を組み合わせる。これらの２つの結像方法の間の切り替えは、制御ユニットによって調整される。この制御ユニットは、例えば、自身が単独で走査素子の制御の権限があり、さもなければ特に、２つの異なる結像過程を制御する別個の制御機器によって制御されるように実行されてもよい。また代替的に、制御ユニットは、顕微鏡システムの全体動作も、すなわち、すべての結像過程も制御し得る。
【００１４】
好ましくは、第１の走査素子および第２の走査素子は、顕微鏡システムの第２の動作状態においてテレセントリック走査システムを形成する。
【００１５】
光シート顕微鏡機能ユニットおよび走査顕微鏡機能ユニットは、好ましくは、それぞれ照明用および検出用の、試料に面する共通の対物レンズを有する。このことは、本発明による顕微鏡システムの特にコンパクトな構造を可能にする。
【００１６】
特に好ましい実施形態では、光シート顕微鏡機能ユニットおよび走査顕微鏡機能ユニットは、対物レンズの射出瞳を第１の走査素子上に結像する共通の望遠鏡光学系を有する。冒頭でも述べたように、瞳像の生成のために使用可能な望遠鏡光学系は、特に収差が少なく、したがって比較的高価であるので、共通の望遠鏡光学系の使用は大きなコスト上の利点を提供する。
【００１７】
好ましくは、顕微鏡システムは、共通の対物レンズを支持する顕微鏡スタンドを有し、該顕微鏡スタンドは、共通の望遠鏡光学系を接続することができる接続要素を有する。このようにして、顕微鏡システムは、顕微鏡モジュールのような方式で、例えば正立顕微鏡、倒立顕微鏡または固定ステージ顕微鏡の既存の顕微鏡スタンドと特に容易に組み合わせることができる。ここでは特に好ましくは、光シート顕微鏡機能ユニットおよび走査顕微鏡機能ユニットは、共通の望遠鏡光学系を有する。そのため、顕微鏡スタンドに結合するためには唯一の接続要素を設けるだけでよい。
【００１８】
第１の走査素子および第２の走査素子は、例えば、それぞれガルバノメーターミラーまたは微小電気機械ミラー（ＭＥＭＳ）として実行される。この場合、第１の走査素子は、第１の傾斜軸周りで傾斜可能であり、第２の走査素子は、好ましくは第１の傾斜軸に対して垂直である第２の傾斜軸周りで傾斜可能である。
【００１９】
特に好ましい実施形態では、第１の走査素子は、第１の動作状態では、第１の傾斜角度範囲内で傾斜可能であり、第２の動作状態では、第１の傾斜角度範囲とは異なる第２の傾斜角度範囲内で傾斜可能である。
【００２０】
好ましくは、顕微鏡システムは、第１の動作状態と第２の動作状態との間で切り替えるための、制御ユニットによって駆動制御可能な切り替え素子を含む。
【００２１】
切り替え素子は、例えば、第１の傾斜角度範囲内にある傾斜位置と、第２の傾斜角度範囲内にある傾斜位置と、の間で動作状態切り替えのために傾斜させることができる第１の偏向素子によって形成されている。この実施形態は、対物レンズ瞳を第１の走査素子上に結像する望遠鏡光学系から見て２つの傾斜角度範囲が存在し、それらは第１の走査素子にとってアクセス可能でかつ２つの動作状態に割り当てることができるという状況を利用する。これにより、第１の走査素子は、一方では、応用上必要な第１の走査軸に沿った走査を実行することが可能になり、他方では、所望の動作状態を実現するために適した傾斜角度範囲を選択することが可能になる。この目的のために、合目的的には、第１の走査素子は、４５度とは異なる光入射角のもとで使用されるものであってもよい。
【００２２】
代替的な実施形態では、切り替え素子は、第１の走査素子とは別個に設けられた光偏向素子によって形成されている。この光偏向素子は、例えばビームパス内に導入することができ、当該ビームパスから遠ざけることができるミラーまたはプリズムである。それらはまた、ビームパス内に残される偏向素子の形態で実行されてもよく、これは動作状態の選択のために調整され、例えば傾斜される。この実施形態は、本発明が従来の顕微鏡用のモジュールとして実行されている限り、対物瞳を第１の走査素子上に結像する望遠鏡光学系を一度保持するだけでよく、顕微鏡における唯一の適応箇所だけを占有するだけでよいというさらなる利点を有する。
【００２３】
好ましい実施形態では、光シート顕微鏡機能ユニットは、光シート状の照明配光を中間像空間内で生成するように構成された照明光学系と、中間像空間内で生成された光シート状の照明配光を試料内に、および光シート状の照明配光を用いて照明される試料の領域内に中間像として中間像空間内に結像するように構成され両面テレセントリックに構成された搬送光学系と、中間像空間内で生成された中間像を検出器上に結像するように構成された検出光学系と、を備えており、ここで、照明光学系、搬送光学系および検出光学系の光軸は、中間像空間内で相互に交差し、ここで、第１の走査素子は、搬送光学系内に配置され、第１の動作状態において、光シート状の照明配光が試料内で搬送光学系の光軸に対して交差方向に、好ましくは垂直に移動するように構成されている。光シート顕微鏡機能ユニットと走査顕微鏡機能ユニットとによって共通使用される望遠鏡システムを含む前述の搬送光学系は、ボリュームイメージングのために必要な特性、詳細には開口角の適正な結像を保証するための試料空間と中間空間との間の屈折率比に相応する倍率と、両面テレセントリック性、すなわち対物レンズ側のテレセントリック性のみならず像側のテレセントリック性、すなわち光軸に沿った位置に依存しない横倍率と、を有する中間結像システムを表す。
【００２４】
両面テレセントリック搬送光学系と、それによって可能となるテレセントリック走査装置と、の使用は、その中間結像光学系が両面テレセントリックではない従来の光シート顕微鏡に比べて、とりわけ、搬送光学系に歪みが起きないという利点を有する。
【００２５】
特に好ましい実施形態では、走査顕微鏡機能ユニットは、共焦点顕微鏡または多光子顕微鏡を形成する。
【００２６】
以下では本発明を、図面に基づきより詳細に説明する。
【図面の簡単な説明】
【００２７】
【図１】実施例としての顕微鏡システムの概略図
【図２】図１による顕微鏡システムの２つの走査素子を示す拡大された部分図
【図３】２つの顕微鏡機能ユニット間の切り替えのための別個の光偏向素子を有する変形実施形態の図２に相応する部分図
【発明を実施するための形態】
【００２８】
図１は、本発明の実施例を表す顕微鏡システム１０の構造を概略図で示す。この顕微鏡システム１０は、図１において全体的に符号１２で示される光シート顕微鏡機能ユニットと、全体的に符号１４で示される走査顕微鏡機能ユニットと、を含む。この顕微鏡システム１０は、選択的に設定可能な２つの動作状態、詳細には、光シート状の照明配光を用いた試料１６の結像のために、斜面顕微鏡タイプによる光シート顕微鏡機能ユニット１２が使用される第１の動作状態と、走査顕微鏡機能ユニット１４がスポット状の照明配光を用いて試料１６を結像する第２の動作状態と、を想定する。
【００２９】
以下では、まず、光シート顕微鏡機能ユニット１２を説明する。
【００３０】
光シート顕微鏡機能ユニット１２は、照明光学系１８、搬送光学系２０および検出光学系２２を備え、それらの光軸Ｏ１、Ｏ２もしくはＯ３は、図１において符号２４で示す中間像空間内に集まり、すなわち、そこで相互に交差する。照明光学系１８は、自身の光源２８から供給された照明光３０を中間像空間２４に集束させ、この照明光がそこで光シートタイプの照明配光を生じるようにするために用いられる。中間像空間２４内で生成されたこの光シートは、次いで、搬送光学系２０により試料１６内に結像され、それによって、試料１６の領域が光シートを用いて照明され、蛍光ビームの放射のために励起される。試料１６から放射された蛍光ビームは、第１の動作状態において、再び搬送光学系２０内に到達し、それによって、この搬送光学系２０は、光シートを用いて照明された当該試料領域を、中間像として中間像空間２４内に結像する。中間像空間２４内で生成された、照明された試料領域の中間像は、最終的に検出光学系２２によって検出器３４の検出面３２上に結像される。
【００３１】
照明光学系１８は、光源２８から放射された照明光３０の伝搬方向において、相前後して、ビーム処理ユニット３６、調整素子３８、接眼レンズ系４０、さらなる調整素子４２、チューブレンズ素子４４、ならびに中間像空間２４に面する照明対物レンズ４６を順次含んでいる。
【００３２】
ビーム処理ユニット３６は、円柱レンズ４８を含み、この円柱レンズ４８は、照明対物レンズ４６と協働するアナモルフィック光学系の一部であり、このアナモルフィック光学系は、光源２８から放射された照明光３０から中間像空間２４内で所望の形状の光シートを生成する機能を有する。この場合、円柱レンズ４８は、照明光３０を、接眼レンズ系４０およびチューブレンズ系４４によって生成された、照明対物レンズ４６の瞳像に集束させる。したがって、図１による実施例では、チューブレンズ系４４および接眼レンズ系４０は、実際の中間像を有するガリレオ望遠鏡を形成する。しかしながら、図１による実施例において選択されたアナモルフィック系の実現は、単なる例示として理解されるべきであることを指摘しておく。そのため、例えば特に開口数がより小さい場合には、照明対物レンズ４６を省略して、円柱レンズ４８のみを光シートの形成のために使用することも可能である。
【００３３】
照明光学系１８に含まれる２つの調整素子３８および４２は調整装置を形成し、この調整装置は、光シートを、検出器３４の検出面３２に対して、より厳密に言えば、検出光学系２２によって中間像空間２４内で生成される検出面３２の像に対して相対的に調整することを可能にしており、この像には光シートが重畳されている。ここでは、調整素子４２は、照明対物レンズ４６の像面と共役な関係の平面内に配置されている。したがって、調整素子４２の傾斜により、照明光３０が照明対物レンズ４６から出射する角度が変更される。調整素子３８は、照明対物レンズ４６の瞳面と共役な関係の平面内に配置されている。したがって、この調整素子３８によれば、照明対物レンズ４６から出射する照明光３０の位置を設定することが可能になる。つまり、これらの２つの調整素子３８および４２によれば、光シートの位置と角度とを相互に依存することなく調整することが可能になる。
【００３４】
照明光学系１８は、光シート生成のために、図１に明示的に示されていないさらなる素子、例えば視野絞りおよび／または開口絞りを含み得る。視野絞りは、ここでは、光シートを、自身が拡張している方向において制限する機能を有する。それに対して、開口絞りは、光シートが集束される開口角度の制限に用いられる。
【００３５】
搬送光学系２０は、試料１６から見て、対物レンズ５０、チューブレンズ系５２、接眼レンズ系５４、さらなる接眼レンズ系５７、さらなるチューブレンズ系５８、偏向素子６０、アフォーカル系６２ならびに中間結像対物レンズ６４を含んでいる。チューブレンズ系５２および接眼レンズ系５４も、チューブレンズ系５８および接眼レンズ系５７も、それぞれガリレオ望遠鏡光学系を形成する。搬送光学系２０は、両面テレセントリック光学系として実行されている。搬送光学系２０に含まれるアフォーカル系６２は、試料空間と中間像空間２４との間の屈折率比に対する所望のボリュームイメージ搬送のために必要な倍率適合化を行うために用いられる。望遠鏡光学系５６は、接続要素５３を介して顕微鏡スタンド５５に結合されており、この顕微鏡スタンド５５には対物レンズ５０が保持されている。
【００３６】
図２による拡大された部分図に特に見られるように、光シート顕微鏡機能ユニット１２は、搬送光学系２０内に、例えばガルバノメーターミラーまたはＭＥＭＳミラーとして実行されている第１の走査素子６６を含む。この走査素子６６は、図２に示されている座標系に関してｚ軸と一致する傾斜軸６８周りで傾斜可能である。顕微鏡システム１０の第１の動作状態では、この走査素子６６は、試料１６を、光シートを用いて対物レンズ５０の光軸に対して横方向に、すなわち交差方向に走査するのに用いられる。この一軸走査を生じさせるために、走査素子６６は、所定の第１の傾斜角度範囲内で傾斜軸６８周りに傾斜する。走査素子６６は、望遠鏡光学系５６が対物レンズ５０の射出瞳７０の実像を生成する位置に配置されている。したがって、換言すれば、望遠鏡光学系５６は、射出瞳７０を第１の走査素子６６上に結像する。
【００３７】
検出光学系２２は、中間像空間２４に面する検出対物レンズ７１ならびにチューブレンズ系７３を含む。これらの検出対物レンズ７１およびチューブレンズ系７３を介して、搬送光学系２０により中間像空間２４内に生成された、光シートを用いて照明された試料領域の中間像は、検出器３４の検出面３２上に結像される。
【００３８】
顕微鏡システム１０の第１の動作状態において、光シート顕微鏡機能ユニット１２の照明光学系１８、搬送光学系２０および検出光学系２２は、それらの光軸Ｏ１，Ｏ２，Ｏ３が中間像空間２４内に集まるように相互に配向されている。これにより、光源２８によって生成された照明光３０の搬送光学系２０内への入力結合が、中間像の領域内でのいわば幾何学的組み合わせによって行われる。このことは、搬送光学系２０の領域内のダイクロイックビームスプリッタ素子の省略を可能にする。したがって、搬送光学系２０の結像能力を損なう瞳オフセットを確実に回避することができる。
【００３９】
以下では、第２の動作状態において動作する、顕微鏡システム１０の走査顕微鏡機能ユニット１４を説明する。
【００４０】
走査顕微鏡機能ユニット１４は、光シート顕微鏡機能ユニット１２のように、試料１６に面する対物レンズ５０、ならびにチューブレンズ系５２および接眼レンズ系５４から形成される望遠鏡光学系５６を使用する。第１の走査素子６６も、第２の動作状態において、走査顕微鏡機能ユニット１４によって使用される。このことは、顕微鏡システム１０の２つの機能ユニット１２，１４が、対物レンズ５０、望遠鏡光学系５６、および第１の走査素子６６の形態で共通使用されるコンポーネントを有していることを意味する。
【００４１】
さらに、走査顕微鏡機能ユニット１４は、光シート顕微鏡機能ユニット１２から空間的に分離された励起／検出モジュール７２を有する。この励起／検出モジュール７２は、それ自体公知であるが故にここではより詳細には説明しないコンポーネントを含む。これらのコンポーネントは、従来のスポット状の走査顕微鏡の実現のために必要である、例えば、１つ以上の光源、１つ以上の検出器、共焦点顕微鏡の場合には、付加的にさらに照明および検出用のピンホールなどである。しかしながら、他のそれ自体公知の実施形態においても、走査顕微鏡機能ユニット１４が、例えば多光子顕微鏡として実行されるべき場合には相応のことが当てはまる。
【００４２】
走査顕微鏡機能ユニット１４は、さらに、第２の走査素子７４を含み、この第２の走査素子７４は、図２による拡大された部分図において単独で見ることができる。第１の走査素子６６のように、第２の走査素子７４も、例えば一軸ガルバノメーターミラーまたはＭＥＭＳミラーとして実現されている。第２の走査素子７４は、第１の走査素子６６の傾斜軸６８と直交する傾斜軸７６周りで傾斜可能である。この箇所では、図１および図２の描写は大幅に簡略化されていることを指摘しておく。特に、第２の走査素子７４は、図２による図平面に対して、例えば４５度傾斜している点に留意されたい。その結果、第２の走査素子７４と励起／検出モジュール７２との間のビームパスも、図平面内を延びるのではなく、図平面から外部へまたは外部から図平面内に延びる。その他に、第１の走査素子６６と第２の走査素子７４との間には、図２中に明示的に示されていない、特に、対物レンズ５０の射出瞳７０のさらなる実像を生成することができる付加的な望遠鏡光学系のようなコンポーネントが存在してもよいことを指摘しておく。これにより、この瞳像の位置に存在すべき第２の走査素子７４を、走査顕微鏡機能ユニット１４のビームパス内で任意に位置決めすることが可能になる。
【００４３】
顕微鏡システム１０の第２の動作状態において、第１の一軸走査素子６６および第２の一軸走査素子７４は、試料１６を、走査顕微鏡機能ユニット１４において生成されたスポット状の照明配光を用いて二軸走査する、すなわち、好ましくは２つの直交する走査軸に沿って走査するために使用できるテレセントリック二軸走査系を形成する。これらの二軸走査系を形成する２つの走査素子６６および７４は、対物レンズ５０の射出瞳７０と共役である。
【００４４】
前述した二軸走査系の実現は、単なる例示として理解されるべきであることを指摘しておく。特に、独国特許発明第４０２６１３０２号明細書（ＤＥ４０２６１３０２Ｃ２）に記載されているように、２つの付加的な一軸走査素子の使用により、仮想傾斜点を形成することで、テレセントリック二軸走査系を構成することも可能である。
【００４５】
つまり、第２の動作状態において、第１の走査素子６６は、第２の走査素子７４と協働して、スポット状の照明配光を用いて試料１６の二軸走査を提供する機能を有する。この目的のために、第１の走査素子６６は、第１の動作状態で使用される第１の傾斜角範囲とは異なる第２の傾斜角範囲内で傾斜軸６８周りに傾斜する。したがって、共通の望遠鏡光学系５６から見て、第１の走査素子６６を用いてアクセス可能な２つの傾斜角範囲が存在する。それらのうちの第１の傾斜角範囲は第１の動作状態に割り当てられ、第２の傾斜角範囲は第２の動作状態に割り当てられる。このことは、第１の走査素子６６が、第１もしくは第２の動作状態において実施される本来の走査過程のためにだけ使用されるのでなく、付加的に、第１の動作状態と第２の動作状態との間で切り替えるための素子として使用され得る手段を提供する。詳細には、第１の走査素子６６が、第１の傾斜角度範囲内にある傾斜位置にあるのであれば、第１の走査素子６６は、図示の配置構成において、必然的に光シート顕微鏡機能ユニット１２に接続され、それによって、第１の動作状態が実現されている。次いで、この走査素子は、第２の傾斜角度範囲内に傾斜すると、走査顕微鏡機能ユニット１４に接続され、これによって、第２の動作状態が選択される。
【００４６】
さらに、顕微鏡システム１０は、制御ユニット８７を有しており、この制御ユニット８７は、第１の走査素子６６の対応する駆動制御によって動作状態の切り替えを制御する。制御ユニット８７は、顕微鏡システム１０のいくつかの他の動作過程も、あるいは完全にすべての動作過程も制御するように実行されてもよい。
【００４７】
図３は、特に、２つの動作状態の間の切り替えのために、別個の切り替え素子７８が設けられている変形実施形態を示している。図示の実施形態では、この切り替え素子７８は、例えば、第１の走査素子６６に面するミラー面７９を有するミラーであり、走査顕微鏡機能ユニット１４を効果的に切り替えるために、すなわち、第２の動作状態を設定するために、２つの接眼レンズ系５４，５７の間のビームパス内に導入される。ミラー７８が、ビームパスから遠ざけられると、顕微鏡システム１０は、第１の動作状態にある。
【００４８】
もちろん、本発明は上述した実施例に限定されるべきものではないことを理解されたい。
【００４９】
そのため、例えば、光シート顕微鏡機能ユニット１２の照明光学系１８内に、光シート生成のために、円柱ミラー４８の代わりにさらなる一軸走査素子を、例えばガルバノミラーもしくはＭＥＭＳミラーの形態で設けることも可能である。そのような走査素子は、例えば、図１による実施例において調整素子３８が存在する箇所に配置することができる。次いで、この走査素子は、照明光３０の走査移動を引き起こし、この走査移動によって所望の光シートが順次形成される。次いで、制御ユニット８７は、当該走査素子の動作が、他のシステムコンポーネント、特に第１の走査素子６６と同期していることを提供する。
【００５０】
上述の変形例では、照明光学系１８内に付加的に存在するさらなる走査素子は、図１〜図３による実施例において第１の走査素子６６に対してさらに上記で説明したように、スポット状に走査する機能ユニットの機能的結合のために同じ方法で使用できるであろう。したがって、光シート生成には使用されないこのさらなる走査素子の傾斜角範囲は、走査素子６６の第２の傾斜角範囲に応じて、走査顕微鏡走査のために、および場合によっては２つの動作状態の間の切り替えのためにも使用できるであろう。
【符号の説明】
【００５１】
１０    顕微鏡システム
１２    光シート顕微鏡機能ユニット
１４    走査顕微鏡機能ユニット
１６    試料
１８    照明光学系
２０    搬送光学系
２２    検出光学系
２４    中間像空間
２８    光源
３０    照明光
３２    検出面
３４    検出器
３６    ビーム処理ユニット
３８    調整素子
４０    接眼レンズ系
４２    調整素子
４４    チューブレンズ系
４６    照明対物レンズ
４８    円柱ミラー
５０    対物レンズ
５２    チューブレンズ系
５３    接続要素
５４    接眼レンズ系
５５    顕微鏡スタンド
５６    望遠鏡光学系
５７    接眼レンズ系
５８    チューブレンズ系
６０    偏向系
６２    アフォーカル系
６４    中間結像対物レンズ
６６    第１の走査素子
６８    傾斜軸
７０    射出瞳
７１    検出対物レンズ
７２    励起／検出モジュール
７３    チューブレンズ系
７４    第２の走査素子
７６    傾斜軸
７８    切り替え素子
７９    ミラー面
８７    制御ユニット
Ｏ１    光軸
Ｏ２    光軸
Ｏ３    光軸
【図１】
2019533187.tif 000003
【図２】
2019533187.tif 000004
【図３】
2019533187.tif 000005
【国際調査報告】
2019533187.tif 000006
2019533187.tif 000007
2019533187.tif 000008
2019533187.tif 000009